【手続補正書】
【提出日】平成30年3月23日(2018.3.23)
【手続補正１】
【補正対象書類名】特許請求の範囲
【補正対象項目名】全文
【補正方法】変更
【補正の内容】
【特許請求の範囲】
【請求項１】
長方形形状の張設治具枠に長方形形状のメタルマスクを取り付けるスクリーン印刷装置であって、
前記張設治具枠及び前記メタルマスクの係合部の全般が均一に構成され、
前記張設治具枠及び前記メタルマスクの係合部の一部が不均一に構成されていることを特徴とするスクリーン印刷装置。
【請求項２】
前記不均一に構成された部分に他の均一に構成された部分と区別するためのマークが付されていることを特徴とする請求項１のスクリーン印刷装置。
【請求項３】
前記メタルマスクの係合部が周縁に形成された複数の係合孔であり、前記張設治具枠の係合部が係合ピンであり、
前記係合孔が前記ピンに直接に係合されることを特徴とする請求項１又は請求項２のスクリーン印刷装置。
【請求項４】
前記張設治具枠の１個のコーナーに近い１個の係合ピンの径が他の係合ピンの径と異なることを特徴とする請求項３のスクリーン印刷装置。
【請求項５】
前記張設治具枠の１個のコーナーに近い１個の係合ピンの形状が他の係合ピンの形状と異なることを特徴とする請求項３のスクリーン印刷装置。
【請求項６】
前記張設治具枠の１個のコーナーに近い１個の係合ピンの配置間隔が他の係合ピンの配置間隔と異なることを特徴とする請求項３の張設治具枠。
【請求項７】
前記張設治具枠の１個のコーナーに近い係合ピンの配置密度が他の係合ピンの配置密度と異なることを特徴とする請求項３のスクリーン印刷装置。
【請求項８】
前記張設治具枠の１個のコーナーに近い係合ピンの配列形状が他の係合ピンの配列形状と異なることを特徴とする請求項３のスクリーン印刷装置。
【請求項９】
前記張設治具枠の１個のコーナーに隣接する２辺の係合ピンの配列形状が他の２辺の係合ピンの配列形状と異なることを特徴とする請求項３のスクリーン印刷装置。
【請求項１０】
さらに、前記メタルマスクを前記張設治具枠に押さえつける４個の枠材から成る押さえ枠が用いられることを特徴とする請求項３のスクリーン印刷装置。
【請求項１１】
前記４個の枠材が一体であることを特徴とする請求項１０のスクリーン印刷装置。
【請求項１２】
前記４個の枠材が別体であることを特徴とする請求項１０のスクリーン印刷装置。
【請求項１３】
前記押さえ枠が４個の位置決めピンを有し、
３個の位置決めピンが挿入される３個の位置決め孔が中央に配置され、
１個の位置決めピンが挿入される１個の位置決め孔が中央に配置されていないことを特徴とする請求項１１又は請求項１２のスクリーン印刷装置。
【請求項１４】
前記押さえ枠が４個の位置決めピンを有し、
３個の位置決めピンが挿入される３個の位置決め孔の径と、
１個の位置決めピンが挿入される１個の位置決め孔の径が異なることを特徴とする請求項１１又は請求項１２のスクリーン印刷装置。
【請求項１５】
前記押さえ枠が４個の位置決めピンを有し、
３個の位置決めピンが挿入される３個の位置決め孔の形状と、
１個の位置決めピンが挿入される１個の位置決め孔の形状が異なることを特徴とする請求項１１又は請求項１２のスクリーン印刷装置。
【請求項１６】
前記押さえ枠が４個の位置決めピンを有し、
３個の位置決めピンが挿通される３個の位置決め案内孔が中央に配置され、
１個の位置決めピンが挿通される１個の位置決め案内孔が中央に配置されていないことを特徴とする請求項１１又は請求項１２のスクリーン印刷装置。
【請求項１７】
前記押さえ枠が４個の位置決めピンを有し、
３個の位置決めピンが挿入される３個の位置決め案内孔の径と１個の位置決めピンが挿入される１個の位置決め案内孔の径が異なることを特徴とする請求項１１又は請求項１２のスクリーン印刷装置。
【請求項１８】
前記押さえ枠が４個の位置決めピンを有し、
３個の位置決めピンが挿入される３個の位置決め案内孔の形状と、
１個の位置決めピンが挿入される１個の位置決め案内孔の形状が異なることを特徴とする請求項１１又は請求項１２のスクリーン印刷装置。
【請求項１９】
前記押さえ枠が４個の位置決めピンを有し、
３個の位置決めピンが押さえ枠材の中央に配置され、
１個の位置決めピンが押さえ枠材の位置決め孔が中央に配置されていないことを特徴とする請求項１１又は請求項１２のスクリーン印刷装置。
【請求項２０】
前記押さえ枠が４個の位置決めピンを有し、
３個の位置決めピンの径と  １個の位置決めピンが挿入される１個の位置決め孔の径が異なることを特徴とする請求項１１又は請求項１２のスクリーン印刷装置。
【請求項２１】
前記押さえ枠が４個の位置決めピンを有し、
３個の位置決めピンの形状と、
１個の位置決めピンの形状が異なることを特徴とする請求項１１又は請求項１２のスクリーン印刷装置。
【請求項２２】
前記張設治具枠の４個の枠材が４個のコーナー部材により結合され、
前記４個のコーナー部材に前記張設治具枠の内側に突出する突出部が形成され、
前記突出部の３個が同一形状であり、
前記突出部の１個が前記３個の突出部と異なる形状であることを特徴とする請求項３のスクリーン印刷装置。
【請求項２３】
前記メタルマスクの１個のコーナーに近い１個の係合孔の径が他の係合孔の径と異なることを特徴とする請求項３のスクリーン印刷装置。
【請求項２４】
前記メタルマスクの１個のコーナーに近い１個の係合孔の形状が他の係合孔の形状と異なることを特徴とする請求項３のスクリーン印刷装置。
【請求項２５】
前記メタルマスクの１個のコーナーに近い１個の係合孔の配置間隔が他の係合孔の配置間隔と異なることを特徴とする請求項３のスクリーン印刷装置。
【請求項２６】
前記メタルマスクの１個のコーナーに近い係合孔の配置密度が他の係合孔の配置密度と異なることを特徴とする請求項３のスクリーン印刷装置。
【請求項２７】
前記メタルマスクの１個のコーナーに近い係合孔の配列形状が他の係合孔の配置形状と異なることを特徴とする請求項３のスクリーン印刷装置。
【請求項２８】
前記メタルマスクの１個のコーナーに隣接する２辺の係合孔の配列形状が他の２辺の係合孔の配列形状と異なることを特徴とする請求項３のスクリーン印刷装置。
【請求項２９】
さらに押さえ枠の４個の位置決めピンが挿通される位置決めピン挿通孔を有し、
３個の位置決めピン挿通孔が外周辺の中央に配置され、
１個の位置決めピン挿通孔が外周辺の中央に配置されていないことを特徴とする請求項３のスクリーン印刷装置。
【請求項３０】
前記メタルマスクの４個のコーナーに切り欠き部が形成され、
前記切り欠き部の３個が同一形状であり、
前記切り欠き部の１個が前記３個の切り欠き部と異なる形状であることを特徴とする請求項３のスクリーン印刷装置。
【請求項３１】
前記張設治具枠に係合凸条又は係合凹溝が形成され、
前記張設枠に係合凹溝又は係合凸条が形成され、
前記係合部が前記係合凹溝及び前記係合凸条であり、
前記メタルマスクが長方形の張設枠を介して前記張設治具枠に間接的に張設されることを特徴とする請求項１又は請求項２のスクリーン印刷装置。
【請求項３２】
３個の係合凸条又は係合凹溝が一体であり、
１個の係合凸条又は係合凹溝が分割されていることを特徴とする請求項２２のスクリーン印刷装置。
【請求項３３】
３個の係合凸条又は係合凹溝が分割され、
１個の係合凸条又は係合凹溝が一体であることを特徴とする請求項２２のスクリーン印刷装置。
【請求項３４】
３個の係合凸条又は係合凹溝と１個の係合凹溝又は係合凸条が形成されたことを特徴とする請求項２２のスクリーン印刷装置。
【請求項３５】
３個の係合凹溝又は係合凸条と１個の係合凸条又は係合凹条が形成されたことを特徴とする請求項２２のスクリーン印刷装置。
【請求項３６】
３個の直線状係合凸条又は係合凹溝と１個の非直線状係合凹溝又は係合凸条が形成されたことを特徴とする請求項２２のスクリーン印刷装置。
【請求項３７】
３個の非直線状係合凸条又は係合凹溝と１個の直線状係合凹溝又は係合凸条が形成されたことを特徴とする請求項２２のスクリーン印刷装置。
【請求項３８】
長方形の１個のコーナーに位置決め用突起又は孔が形成されていることを特徴とする請求項２２のスクリーン印刷装置。
【請求項３９】
３個の係合凹溝又は係合凸条が一体であり、
１個の係合凹溝又は係合凸条が分割されていることを特徴とする請求項２２のスクリーン印刷装置。
【請求項４０】
３個の係合凹溝又は係合凸条が分割され、
１個の係合凹溝又は係合凸条が一体であることを特徴とする請求項２２のスクリーン印刷装置。
【請求項４１】
３個の係合凹溝又は係合凸条と１個の係合凸条又は係合凹溝が形成されたことを特徴とする請求項２２のスクリーン印刷装置。
【請求項４２】
３個の係合凸条又は係合凹溝と１個の係合凹溝又は係合凸条が形成されたことを特徴とする請求項２２のスクリーン印刷装置。
【請求項４３】
３個の直線状係合凹溝又は係合凸条と１個の非直線状係合凸条又は係合凹溝が形成されたことを特徴とする請求項２２のスクリーン印刷装置。
【請求項４４】
３個の非直線状係合凹溝又は係合凸条と１個の直線状係合凸条又は係合凹溝が形成されたことを特徴とする請求項２２のスクリーン印刷装置。
【請求項４５】
長方形の１個のコーナーに位置決め用孔又は突起が形成されていることを特徴とする請求項２２のスクリーン印刷装置。